(57)【要約】【課題】比較的細い筆記具でも比較的太い筆記具でも安定的に保持することができる、筆記具用保持具を提供する。【解決手段】筆記具用保持具２０は、固定部材３０を含む。固定部材３０は、第１の挟持部３２および第１の支持部４４を含む。固定部材３０には、保持部材５０が変位可能に取り付けられる。保持部材５０は、第２の保持部５２、第２の支持部６２およびばね部６４を含む。第２の保持部５２は、第１の保持部３２と協働して筆記具を挟んで保持するためのものである。第２の支持部６２は、第１の支持部４４に対して回動可能に支持される。ばね部６４は、第２の保持部５２を第１の保持部３２側に付勢するためのものである。ばね部６４の先端６６は、第１の保持部３２に対して第２の保持部５２を開閉する際に、固定部材３０に当接しながら変位する。【選択図】      図５
2004209883.tif 000002
【特許請求の範囲】
【請求項１】
固定部材、および
前記固定部材に対して変位可能に設けられる保持部材を含み、
前記固定部材は、
第１の保持部、および
前記第１の保持部と一体的に形成される第１の支持部を含み、
前記保持部材は、
前記第１の支持部に対して回動可能に支持される第２の支持部、
前記第２の支持部と一体的に形成され、前記第１の保持部と協働して筆記具を挟んで保持するための第２の保持部、および
前記第２の支持部と一体的に形成され、弾性を有し、先端が前記固定部材に当接され、前記第２の保持部を前記第１の保持部側に付勢するためのばね部を含み、
前記第１の保持部に対して前記第２の保持部を開閉する際に、前記第２の支持部が前記第１の支持部に対して回動するとともに、前記ばね部の前記先端が前記固定部材に当接しながら変位する、筆記具用保持具。
【請求項２】
前記固定部材において前記ばね部の前記先端が当接する当接部は表面が突出する湾曲面状に形成され、
前記第１の保持部に対して前記第２の保持部を開く際に、前記ばね部は前記先端が前記当接部に当接しながら変位するようにして徐々に変形する、請求項１に記載の筆記具用保持具。
【発明の詳細な説明】
【０００１】
【発明の属する技術分野】
この発明は筆記具用保持具に関し、特にたとえばボールペンなどの筆記具を挟んで保持することができ、たとえば紙挟みやファイルなどに形成される筆記具用保持具に関する。
【０００２】
【従来の技術】
この発明の背景となる従来の紙挟みの一例が、たとえば特許第２６２３２３２号公報に開示されている。図１０はこのような従来の紙挟みの一例を示す斜視図である。図１０に示す紙挟み１は、合成樹脂からなる略長方形板状の台板２を含む。台板２の端部には、合成樹脂からなる挟持部材３が開閉可能に設けられる。さらに、台板２の隅部には、合成樹脂からなるクリップ４が設けられる。
図１０に示す紙挟み１では、台板２および挟持部材３によって、紙を挟んで保持することができる。さらに、この紙挟み１では、台板２およびクリップ４によって、筆記具を挟んで保持することができる。
【０００３】
【特許文献１】
特許第２６２３２３２号公報
【０００４】
【発明が解決しようとする課題】
ところが、図１０に示す紙挟み１では、直径がたとえば７．５ｍｍである比較的細い筆記具を保持することができるようにするために台板２およびクリップ４間の間隔が比較的狭く形成されている場合、台板２およびクリップ４間に直径がたとえば１１．０ｍｍである比較的太い筆記具を保持させようとすると、台板２およびクリップ４間に筆記具が入らなかったり、クリップ４が塑性変形を起こしてしまったりする場合がある。
また、図１０に示す紙挟み１では、直径がたとえば１１．０ｍｍと比較的太い筆記具を保持することができるようにするために台板２およびクリップ４間の間隔が比較的広く形成されている場合、台板２およびクリップ４間に直径がたとえば７．５ｍｍである比較的細い筆記具を保持させようとすると、台板２およびクリップ４間で筆記具が安定的に保持されない場合がある。
【０００５】
それゆえに、この発明の主たる目的は、比較的細い筆記具でも比較的太い筆記具でも安定的に保持することができる、筆記具用保持具を提供することである。
【０００６】
【課題を解決するための手段】
この発明にかかる筆記具用保持具は、固定部材と、固定部材に対して変位可能に設けられる保持部材とを含み、固定部材は、第１の保持部と、第１の保持部と一体的に形成される第１の支持部とを含み、保持部材は、第１の支持部に対して回動可能に支持される第２の支持部と、第２の支持部と一体的に形成され、第１の保持部と協働して筆記具を挟んで保持するための第２の保持部と、第２の支持部と一体的に形成され、弾性を有し、先端が固定部材に当接され、第２の保持部を第１の保持部側に付勢するためのばね部とを含み、第１の保持部に対して第２の保持部を開閉する際に、第２の支持部が第１の支持部に対して回動するとともに、ばね部の先端が固定部材に当接しながら変位する、筆記具用保持具である。
この発明にかかる筆記具用保持具では、固定部材の第１の保持部および保持部材の第２の保持部によって筆記具を挟んで保持することができる。この場合、第１の保持部に対して第２の保持部を開閉する際に、保持部材の第２の支持部が固定部材の第１の支持部に対して回動するとともに、保持部材のばね部の先端が固定部材に当接しながら変位する。
そのため、この発明にかかる筆記具用保持具では、保持部材のばね部を固定部材と一体的に形成した場合に比べて、第１の保持部に対して第２の保持部を開く際に、ばね部の先端が変位するので、ばね部にかかる力が緩和され、ばね部が塑性変形されにくくなる。
したがって、この発明にかかる筆記具用保持具では、比較的細い筆記具でも比較的太い筆記具でも安定的に保持することができる。
【０００７】
この発明にかかる筆記具用保持具では、たとえば、固定部材においてばね部の先端が当接する当接部は表面が突出する湾曲面状に形成され、第１の保持部に対して第２の保持部を開く際に、ばね部は先端が当接部に当接しながら変位するようにして徐々に変形するようにしてもよい。このようにすれば、第１の保持部に対して第２の保持部を開く際に、ばね部が急激に変形する場合に比べて、ばね部にかかる力を緩和することができる。
【０００８】
この発明の上述の目的、その他の目的、特徴および利点は、図面を参照して行う以下の発明の実施の形態の詳細な説明から一層明らかとなろう。
【０００９】
【発明の実施の形態】
図１はこの発明にかかる筆記具用保持具が形成された紙挟みの一例を示す斜視図である。図１に示す紙挟み１０は、たとえばＡＢＳ樹脂などの合成樹脂からなる略長方形板状の台板１２を含む。
【００１０】
台板１２の隅部には、筆記具用保持具２０が形成される。筆記具用保持具２０は、たとえばボールペンなどの筆記具を挟んで保持するためのものである。
【００１１】
筆記具用保持具２０は、台板１２と一体的に形成されるたとえばＡＢＳ樹脂などの合成樹脂からなる固定部材３０を含む。固定部材３０は、図２および図３に示すように、上面が凹むように湾曲した板状の第１の保持部３２を含む。第１の保持部３２は、後述の第２の保持部５２と協働して筆記具を挟んで保持するためのものである。
【００１２】
第１の保持部３２の一端側の上部には、略３角柱状の出入口突起３４が形成される。出入口突起３４は、筆記具を第１の保持部３２および第２の保持部５２間に入れやすくするとともに、第１の保持部３２および第２の保持部５２間から抜けにくくするためのものである。
【００１３】
第１の保持部３２の他端には、板状の第１の腕部３６が形成される。第１の腕部３６において第１の保持部３２側の上部には、断面半円形状の溝３８が形成される。溝３８は、第１の保持部３２および第２の保持部５２間を閉じた際に、後述の突起５８が嵌るためのものである。
【００１４】
第１の腕部３６において第１の保持部３２側の下部には、当接部４０が形成される。当接部４０は、表面が突出する湾曲面状に形成される。当接部４０は、後述のばね部６４の先端６６が当接するためのものである。
【００１５】
第１の腕部３６の中央には、孔４２が形成される。孔４２は、後述の爪６０が嵌るためのものである。
【００１６】
第１の腕部３６の他端側の上部には、半円柱状の第１の支持部４４が形成される。第１の支持部４４は、後述の第２の支持部６２を回動可能に支持するためのものである。
【００１７】
上述の固定部材３０の第１の腕部３６および第１の支持部４４の両側には、たとえばＡＢＳ樹脂などの合成樹脂からなる略３角形板状のガイド部材４６、４６が、固定部材３０と一体的に形成される。ガイド部材４６、４６は、固定部材３０から後述の保持部材５０を外れにくくするためのものである。
【００１８】
また、台体１２には、第１の支持部４４の横に、孔４８が形成される。この孔４８は、保持部材５０のばね部６４を挿通するためのものである。
【００１９】
上述の固定部材３０には、たとえばポリアセタールなどの合成樹脂からなる保持部材５０が変位可能に取り付けられる。保持部材５０は、図４に示すように、下面が凹むように湾曲した板状の第２の保持部５２を含む。第２の保持部５２は、第１の保持部３２と協働して筆記具を挟んで保持するためのものである。
【００２０】
第２の保持部５２の一端側には、出入口片５４が形成される。出入口片５４は、筆記具を第１の保持部３２および第２の保持部５２間に入れやすくするためのものである。
【００２１】
第２の保持部５２の他端には、板状の第２の腕部５６が形成される。第２の腕部５６において第２の保持部５２側の下部には、半円柱状の突起５８が形成される。突起５８は、第１の保持部３２および第２の保持部５２間を閉じた際に、固定部材３０に形成された溝３８に嵌り、固定部材３０に対する保持部材５０の位置を安定させるためのものである。
【００２２】
第２の腕部５６の中央の下部には、爪６０が形成される。爪６０は、固定部材３０に形成された孔４２に嵌って、固定部材３０から保持部材５０を外れにくくするためのものである。
【００２３】
第２の腕部５６の他端側には、断面略半円形状に凹んだ下面を有する第２の支持部６２が形成される。第２の支持部６２は、第１の支持部４４で回動可能に支持されるためのものである。
【００２４】
第２の支持部６２には、略Ｃ字状ないしは弓状の弾性を有するばね部６４が形成される。ばね部６４は、第２の支持部６２から第２の保持部５２とは反対側にのび、さらに下向きにのび、さらに第２の支持部６２および第２の保持部５２間に向かってのびるように形成される。また、ばね部６４の先端６６は、上向きに断面略３角形状に形成される。ばね部６４は、先端６６が当接部４０に当接されることによって、第２の保持部５２を第１の保持部３２側に付勢するためのものである。
【００２５】
上述の固定部材３０には、上述の保持部材５０が取り付けられる。この場合、保持部材５０のばね部６４の弾性力ないし復元力に抗して、固定部材３０の第１の支持部４４および第１の腕３６を保持部材５０の第２の腕部５６およびばね部６４で挟み、保持部材５０を固定部材３０の第１の保持部３２側に押し込むことによって、保持部材５０が固定部材３０に取り付けられる。また、この場合、保持部材５０の爪６０が固定部材３０に形成された孔４２に嵌り、保持部材５０の第２の支持部６２が固定部材３０の第１の支持部４４で回動可能に支持され、保持部材５０の突起５８が固定部材３０に形成された溝３８に嵌り、保持部材５０のばね部６４の先端６６が固定部材３０の当接部４０に当接する。このように保持部材５０が固定部材３０に取り付けられた状態を図５に示す。
【００２６】
この筆記具用保持具２０では、保持部材５０のばね部６４を固定部材３０と一体的に形成した場合に比べて、第１の保持部３２に対して第２の保持部５２を開く際に、ばね部６４の先端６６が変位するので、ばね部６４にかかる力が緩和され、ばね部６４が塑性変形されにくくなる。そのため、この筆記具用保持具２０では、比較的細い筆記具でも比較的太い筆記具でも安定的に保持することができる。
【００２７】
この筆記具用保持具２０では、図６に示すように、固定部材３０の第１の保持部３２および保持部材５０の第２の保持部５２によって、直径がたとえば７．６ｍｍである比較的細い筆記具Ｐ１を挟んで保持することができる。この場合、保持部材５０の第２の支持部６２は固定部材３０の第１の支持部４４に対して回動し、第２の保持部５２は第１の保持部３２に対して開き、保持部材５０のばね部６４は、先端６６が固定部材３０の当接部４０に接触しながら第１の保持部３２側に変位するようにして変形する。なお、図６には、ばね部６４が変形していない仮想の状態を１点鎖線で示す。
【００２８】
同様に、この筆記具用保持具２０では、固定部材３０の第１の保持部３２および保持部材５０の第２の保持部５２によって、直径がたとえば７．５ｍｍである比較的細い筆記具を挟んで保持することができる。
【００２９】
さらに、この筆記具用保持具２０では、図７に示すように、固定部材３０の第１の保持部３２および保持部材５０の第２の保持部５２によって、直径がたとえば１１．０ｍｍである比較的太い筆記具Ｐ２を挟んで保持することができる。この場合、保持部材５０の第２の支持部６２は固定部材３０の第１の支持部４４に対してさらに回動し、第２の保持部５２は第１の保持部３２に対してさらに開き、保持部材５０のばね部６４は、先端６６が固定部材３０の当接部４０に接触しながら第１の保持部３２側にさらに変位するようにしてさらに変形する。なお、図７には、ばね部６４が変形していない仮想の状態を１点鎖線で示す。
【００３０】
また、この筆記具用保持具２０では、固定部材３０の当接部４０は表面が突出する湾曲面状に形成され、第１の保持部３２に対して第２の保持部５２を開く際に、ばね部６４は先端６６が当接部４０に当接しながら第１の保持部３２側に変位するようにして徐々に変形する。そのため、第１の保持部３２に対して第２の保持部５２を開く際に、ばね部６４が急激に変形する場合に比べて、ばね部６４にかかる力を緩和することができる。
【００３１】
さらに、この筆記具用保持具２０では、ばね部６４が、第２の支持部６２から第２の保持部５２とは反対側にのび、さらに下向きにのび、さらに第２の支持部６２および第２の保持部５２間に向かってのびて、略Ｃ字状ないしは弓状に形成されているので、ばね部が直線状にのびて形成される場合に比べて、いわゆるばね長が長くなり、ばね部６４の根元に負荷がかかりにくく、ばね部６４などの耐久性がよくなる。
【００３２】
なお、この筆記具用保持具２０では、第１の保持部３２および第２の保持部５２間から筆記具を外せば、ばね部６４の弾性力ないしは復元力によって、図５に示すように、第１の保持部３２に対して第２の保持部５２が閉じる。
【００３３】
さらに、この筆記具用保持具２０では、第１の保持部３２および第２の保持部５２間を閉じた際に、図５に示すように、固定部材３０に形成された溝３８に保持部材５０の突起５８が嵌るので、固定部材３０に対する保持部材５０の位置が安定する。
【００３４】
また、この筆記具用保持具２０では、第１の保持部３２および第２の保持部５２に出入口突起３４および出入口片５４が形成されているので、筆記具が第１の保持部３２および第２の保持部５２間に入れやすい。
【００３５】
さらに、この筆記具用保持具２０では、第１の保持部３２および第２の保持部５２の対向する面が凹むように湾曲しているとともに、第１の保持部３２に出入口突起３４が形成されているので、筆記具が第１の保持部３２および第２の保持部５２間から抜けにくい。
【００３６】
また、この筆記具用保持具２０では、固定部材３０に形成された孔４２に保持部材５０の爪６０が嵌るとともに、保持部材５０の両側にガイド部材４６、４６が配置されるので、保持部材５０が固定部材３０から外れにくい。
【００３７】
なお、この紙挟み１０では、図１に示すように、台板１２の端部に、台板１２と協働して紙を挟む紙用挟持具１００が形成される。紙用挟持具１００は、台板１２に対して先端部１０２ａが開閉可能に設けられる板状の挟持部材１０２を含む。挟持部材１０２は、図８に示すように、先端部１０２ａがトーションばね１０４で台板１２側に付勢される。また、挟持部材１０２には、係止部材１０６が回動可能に設けられる。係止部材１０６は、図９に示すように、台板１２に対して挟持部材１０２の先端部１０２ａを開いた状態でロックするためのものである。
【００３８】
そのため、この紙挟み１０では、台板１２と挟持部材１０２の先端部１０２ａとの間に紙を挟むことができる。さらに、この紙挟み１０では、係止部材１０６によって台板１２に対して挟持部材１０２の先端部１０２ａを開いた状態でロックすることができるので、台板１２と挟持部材１０２の先端部１０２ａとの間に紙を挟む際に便利である。
【００３９】
なお、上述の紙挟み１０に用いられている筆記具用保持具２０では、第１の支持部４４が半円柱状に形成されるとともに、第２の支持部６２が断面略半円形状に凹んだ下面を有し、それらが軸および軸受けに近い関係を有するように形成されているが、それらは逆に形成されてもよい。
【００４０】
また、上述の紙挟み１０では、台板１２において筆記具用保持具２０の第１の支持部４４の横に、ばね部６４を挿通するための孔４８が形成されているが、第１の支持部４４が台板１２の端部側に形成される場合には、台板１２にはそのような孔４８は形成されなくてもよい。
【００４１】
さらに、上述の紙挟み１０に用いられている筆記具用保持具２０では、固定部材３０および保持部材５０が特定の形状を有するが、この発明では、それらは他の形状に形成されてもよい。
【００４２】
さらに、上述の紙挟み１０には、特定の構造の紙用挟持具１００が形成されているが、他の構造の紙用挟持具が形成されてもよい。
【００４３】
また、この発明にかかる筆記具用保持具は、紙挟みだけでなくファイルなどに形成されてもよい。
【００４４】
【発明の効果】
この発明によれば、比較的細い筆記具でも比較的太い筆記具でも安定的に保持することができる、筆記具用保持具が得られる。
【図面の簡単な説明】
【図１】この発明にかかる筆記具用保持具が形成された紙挟みの一例を示す斜視図である。
【図２】図１に示す紙挟みに形成された筆記具用保持具に用いられる固定部材などを斜め上から見た図解図である。
【図３】図１に示す紙挟みに形成された筆記具用保持具に用いられる固定部材などを斜め下から見た図解図である。
【図４】図１に示す紙挟みに形成された筆記具用保持具に用いられる保持部材を示す斜視図である。
【図５】図１に示す紙挟みに形成された筆記具用保持具を示す図解図である。
【図６】図１に示す紙挟みに形成された筆記具用保持具で比較的細い筆記具を保持した状態を示す図解図である。
【図７】図１に示す紙挟みに形成された筆記具用保持具で比較的太い筆記具を保持した状態を示す図解図である。
【図８】図１に示す紙挟みに形成された紙用挟持具を示す図解図である。
【図９】図１に示す紙挟みに形成された紙用挟持具の挟持部材を開いた状態を示す図解図である。
【図１０】この発明の背景となる従来の紙挟みの一例を示す斜視図である。
【符号の説明】
１０  紙挟み
１２  台板
２０  筆記具用保持具
３０  固定部材
３２  第１の保持部
３４  出入口突部
３６  第１の腕部
３８  溝
４０  当接部
４２  孔
４４  第１の支持部
４６  ガイド部材
４８  孔
５０  保持部材
５２  第２の保持部
５４  出入口片
５６  第２の腕部
５８  突起
６０  爪
６２  第２の支持部
６４  ばね部
６６  先端
１００  紙挟持具
１０２  挟持部材
１０２ａ  先端部
１０４  トーションばね
１０６  係止部材
【図１】
2004209883.tif 000003
【図２】
2004209883.tif 000004
【図３】
2004209883.tif 000005
【図４】
2004209883.tif 000006
【図５】
2004209883.tif 000007
【図６】
2004209883.tif 000008
【図７】
2004209883.tif 000009
【図８】
2004209883.tif 000010
【図９】
2004209883.tif 000011
【図１０】
2004209883.tif 000012